(57)【要約】【課題】換気装置の風量が頻繁に変わることを防止できる技術を提供する。【解決手段】換気システムは、室内の空気を換気する換気装置と、室内に配置されている第１室内装置と第２室内装置と、を備えており、前記換気装置は、前記第１室内装置が送信する第１信号および前記第２室内装置が送信する第２信号に基づいて動作可能であり、前記第１室内装置が送信する第１信号を受信した場合は、第１信号に基づいて動作し、前記第１室内装置が送信する第１信号を受信していない場合は、前記第２室内装置が送信する第２信号を受信した場合に第２信号に基づいて動作可能である。【選択図】図２
2018071916.tif 000002
【特許請求の範囲】
【請求項１】
室内の空気を換気する換気装置と、
室内に配置されている第１室内装置と第２室内装置と、を備えており、
前記換気装置は、前記第１室内装置が送信する第１信号および前記第２室内装置が送信する第２信号に基づいて動作可能であり、前記第１室内装置が送信する第１信号を受信した場合は、第１信号に基づいて動作し、前記第１室内装置が送信する第１信号を受信していない場合は、前記第２室内装置が送信する第２信号を受信した場合に第２信号に基づいて動作可能である、換気システム。
【請求項２】
前記換気装置が前記第１室内装置が送信する第１信号に基づいて動作している場合は、前記換気装置と前記第２室内装置の間の通信が制限される、請求項１に記載の換気システム。
【請求項３】
前記第１室内装置と前記第２室内装置が通信可能であり、
前記換気装置は、通常状態では第１信号を前記第１室内装置から受信可能である一方で第２信号を前記第１室内装置を中継して受信可能であり、または、第２信号を前記第２室内装置から受信可能である一方で第１信号を前記第２室内装置を中継して受信可能であり、第１信号と第２信号の受信の順番にかかわらず信号を中継する装置から受信した信号に基づいて動作可能であり、前記第１室内装置と前記第２室内装置の間の通信が制限された非通常状態では、第１信号を前記第２室内装置を中継せずに前記第１室内装置から受信可能であり、第２信号を前記第１室内装置を中継せずに前記第２室内装置から受信可能であり、前記第１室内装置が送信する第１信号を受信した場合は、第１信号に基づいて動作し、前記第１室内装置が送信する第１信号を受信していない場合は、前記第２室内装置が送信する第２信号を受信した場合に第２信号に基づいて動作可能である、請求項１に記載の換気システム。
【請求項４】
前記換気装置は、前記第１室内装置と第１通信方式によって通信し、前記第２室内装置と第２通信方式によって通信する、請求項１から３のいずれか一項に記載の換気システム。
【請求項５】
前記第１室内装置と前記第２室内装置が通信できない場合において、
前記第２室内装置は、所定の条件を満たした場合に第３信号を送信し、
前記換気装置は、前記第２室内装置が送信する第３信号を受信した場合は、前記第１室内装置が送信する第１信号を受信している場合であっても、第３信号に基づいて動作する、請求項１から４のいずれか一項に記載の換気システム。
【請求項６】
前記第１室内装置が加熱調理装置であり、前記第２室内装置が室内の空気質を検知する空気質検知装置であり、
前記加熱調理装置が前記換気装置の下方に配置されている、請求項１から５のいずれか一項に記載の換気システム。
【請求項７】
前記空気質検知装置は、検知した室内の空気質が所定の安全基準に照らして不安全である場合には、そのことを特定する不安全信号を送信し、
前記換気装置は、前記空気質検知装置が送信する不安全信号を受信した場合は、前記加熱調理装置が送信する第１信号を受信している場合であっても、不安全信号に基づいて動作する、請求項６に記載の換気システム。
【発明の詳細な説明】
【技術分野】
【０００１】
本明細書に開示する技術は、換気システムに関する。
【背景技術】
【０００２】
特許文献１に開示されている換気システムは、室内の空気を換気する換気装置と、室内に配置されている加熱調理装置と、コントローラーを備えている。換気装置は、加熱調理装置から受信する信号およびコントローラーから受信する信号に基づいて動作可能である。
【先行技術文献】
【特許文献】
【０００３】
【特許文献１】特開２０１４−２２８２１７号公報
【発明の概要】
【発明が解決しようとする課題】
【０００４】
特許文献１のような構成では、換気装置が加熱調理装置から受信する信号およびコントローラーから受信する信号に基づいて動作可能であるので、換気装置の風量が頻繁に変わる可能性がある。例えば、換気装置が加熱調理装置から受信する信号に基づいて動作し、その後にコントローラーから受信する信号に基づいて動作し、その後に再び加熱調理装置から受信する信号に基づいて動作すると、換気装置の風量が頻繁に変わる。そこで本明細書は、換気装置の風量が頻繁に変わることを防止できる技術を提供する。
【課題を解決するための手段】
【０００５】
本明細書に開示する換気システムは、室内の空気を換気する換気装置と、室内に配置されている第１室内装置と第２室内装置と、を備えている。前記換気装置は、前記第１室内装置が送信する第１信号および前記第２室内装置が送信する第２信号に基づいて動作可能であり、前記第１室内装置が送信する第１信号を受信した場合は、第１信号に基づいて動作し、前記第１室内装置が送信する第１信号を受信していない場合は、前記第２室内装置が送信する第２信号を受信した場合に第２信号に基づいて動作可能である。
【０００６】
このような構成によれば、換気装置が第１室内装置が送信する第１信号を受信した場合は必ず第１信号に基づいて動作するので、換気装置の風量が頻繁に変わることがない。例えば、その後に第２室内装置が送信する第２信号を受信したとしても、第２信号に基づいて動作することがない。あるいは、第１室内装置が送信する第１信号を受信した後は第２室内装置が送信する第２信号を受信することができない構成であってもよい。すなわち、第１室内装置が送信する第１信号を受信して動作した後に、第２室内装置が送信する第２信号に基づいて動作することがない。一方、第１室内装置が送信する第１信号を受信していない場合は、第２室内装置が送信する第２信号を受信した場合に第２信号に基づいて動作可能である。その後に第１室内装置が送信する第１信号を受信した場合は第１信号に基づいて動作する。このように、第１室内装置が送信する第１信号に基づく動作が優先されるので、換気装置の風量が頻繁に変わることを防止できる。
【０００７】
上記の換気システムにおいて、前記換気装置が前記第１室内装置が送信する第１信号に基づいて動作している場合は、前記換気装置と前記第２室内装置の間の通信が制限されてもよい。
【０００８】
このような構成によれば、第２信号の送受信が制限されるので、換気装置が誤って第２信号に基づいて動作することを防ぐことができる。
【０００９】
また、前記第１室内装置と前記第２室内装置が通信可能である。前記換気装置は、通常状態では第１信号を前記第１室内装置から受信可能である一方で第２信号を前記第１室内装置を中継して受信可能であってもよい。または、前記換気装置は、通常状態では第２信号を前記第２室内装置から受信可能である一方で第１信号を前記第２室内装置を中継して受信可能であってもよい。前記換気装置は、通常状態では、第１信号と第２信号の受信の順番にかかわらず信号を中継する装置から受信した信号に基づいて動作可能であってもよい。また、前記換気装置は、前記第１室内装置と前記第２室内装置の間の通信が制限された非通常状態では、第１信号を前記第２室内装置を中継せずに前記第１室内装置から受信可能であり、第２信号を前記第１室内装置を中継せずに前記第２室内装置から受信可能であってもよい。前記換気装置は、非通常状態では、前記第１室内装置が送信する第１信号を受信した場合は、第１信号に基づいて動作し、前記第１室内装置が送信する第１信号を受信していない場合は、前記第２室内装置が送信する第２信号を受信した場合に第２信号に基づいて動作可能であってもよい。
【００１０】
このような構成によれば、通常時には換気装置が信号を受信するチャンネルを一本化することができる。また、非通常時に第１室内装置と第２室内装置の間の通信が制限されても、換気装置が信号を受信することができ、換気装置の風量が頻繁に変わることがないように作動させることができる。
【００１１】
また、前記換気装置は、前記第１室内装置と第１通信方式によって通信し、前記第２室内装置と第２通信方式によって通信してもよい。
【００１２】
このような構成によれば、通信方式を区別することによって、換気装置が受信する第１信号と第２信号を明確に区別することができる。
【００１３】
上記の換気システムでは、前記第１室内装置と前記第２室内装置が通信できない場合において、前記第２室内装置は、所定の条件を満たした場合に第３信号を送信してもよい。また、前記換気装置は、前記第２室内装置が送信する第３信号を受信した場合は、前記第１室内装置が送信する第１信号を受信している場合であっても、第３信号に基づいて動作してもよい。
【００１４】
このような構成によれば、例えばユーザーが一時的に第２室内装置を優先させることを選択した場合に、第２室内装置が優先度の高い第３信号を送信することによって、第２室内装置に基づく換気運転を優先して実行することができる。これによって、ユーザーの意図を反映した換気運転を換気装置に実行させることができる。
【００１５】
また、前記第１室内装置が加熱調理装置であり、前記第２室内装置が室内の空気質を検知する空気質検知装置であってもよい。また、前記加熱調理装置が前記換気装置の下方に配置されていてもよい。
【００１６】
このような構成によれば、加熱調理装置の周辺を優先して換気することができる。
【００１７】
また、前記空気質検知装置は、検知した室内の空気質が所定の安全基準に照らして不安全である場合には、そのことを特定する不安全信号を送信してもよい。また、前記換気装置は、前記空気質検知装置が送信する不安全信号を受信した場合は、前記加熱調理装置が送信する第１信号を受信している場合であっても、不安全信号に基づいて動作してもよい。
【００１８】
このような構成によれば、室内の空気質が不安全である場合には、空気質検知装置が送信する不安全信号を優先し、換気装置がその不安全信号に基づいて動作する。これによって、室内の空気質を安全な状態に維持することができる。
【図面の簡単な説明】
【００１９】
【図１】実施例に係る換気システムが設置されている室の立面図である。
【図２】換気システムの第１実施例の第１の動作を説明するための図である。
【図３】換気システムの第１実施例の第２の動作を説明するための図である。
【図４】換気システムの第２実施例の動作を説明するための図である。
【図５】換気システムの第３実施例の動作を説明するための図である。
【図６】換気システムの第４実施例の通常状態における動作を説明するための図である。
【図７】換気システムの第６実施例の通常状態における動作を説明するための図である。
【発明を実施するための形態】
【００２０】
実施例に係る換気システム１について図面を参照して説明する。図１に示すように、実施例に係る換気システム１は、ガスコンロ２０（第１室内装置の１つとしての加熱調理装置の一例）と、センサ４０（第２室内装置の１つとしての空気質検知装置の一例）と、レンジフード３０（換気装置の一例）を備えている。
【００２１】
この換気システム１は、例えばマンションや戸建における室９に設置される。この室９の室内９０は、キッチン領域９１とダイニング領域９２に分けられる。キッチン領域９１では、ユーザーＵが調理を行うことができる。ダイニング領域９２では、ユーザーＵが食事を行うことができる。
【００２２】
ガスコンロ２０は、室内９０のキッチン領域９１に配置されている。ガスコンロ２０は、レンジフード３０の下方に配置されている。ガスコンロ２０は、ガスを燃焼させた火力を利用して加熱調理をするための装置である。ガスコンロ２０は、バーナー２１と、操作部２２と、通信部２３を備えている。ガスコンロ２０は、バーナー２１の火力によって加熱調理をする。
【００２３】
操作部２２は、ガスコンロ２０のユーザーＵが点火と消火を切り換えることができるように構成されている。また、操作部２２は、バーナー２１の火力を「弱」、「中」、「強」に切り換えることができるように構成されている。ユーザーＵが操作部２２を操作することによってガスコンロ２０の火力の切り換えをすることができる。
【００２４】
ガスコンロ２０は、通信部２３を介して無線通信を行うことができる。ガスコンロ２０は、通信部２３を介してガスコンロ２０の動作状態に関する情報をレンジフード３０に送信することができる。例えば、ガスコンロ２０は、点火／消火の情報、および、火力「弱」、「中」、「強」の情報をレンジフード３０に送信することができる。
【００２５】
センサ４０は、室内９０の空気質を検知する装置である。センサ４０は、室内９０の空気質を継続的に検知している。センサ４０は、室内９０のキッチン領域９１に配置されている。センサ４０は、通信部４３を備えており、通信部４３を介して無線通信を行うことができる。センサ４０は、通信部４３を介して室内９０の空気質に関する情報をレンジフード３０に送信することができる。例えば、センサ４０は、後述する空気質の「やや悪い」、「悪い」、「とても悪い」の情報、および、「安全」／「不安全」の情報をレンジフード３０に送信することができる。
【００２６】
センサ４０は、室内９０の空気質を所定の安全基準に照らして「安全」と「不安全」に分類することができる。また、センサ４０は、室内９０の空気質が「安全」である場合に、それを更に「正常」、「やや悪い」、「悪い」、「とても悪い」の４つに分類することができる。例えば、ユーザーＵがガスコンロ２０によって調理をしているときに煙が発生し、それによって室内９０の空気質が悪くなった場合、センサ４０は、検知した室内９０の空気質を「悪い」に分類する。また、例えば、キッチン領域９１のゴミ箱（図示省略）から異臭が発生し、それによって室内９０の空気質がとても悪くなった場合、センサ４０は、検知した室内９０の空気質を「とても悪い」に分類する。また、例えば、ガスコンロ２０から燃焼排ガスが発生し、それによって室内９０の空気質が不安全な状態になった場合、センサ４０は、検知した室内９０の空気質を「不安全」に分類する。室内９０の空気質が不安全な状態とは、例えば、室内９０に居るユーザーＵの体調が悪くなる程度に室内９０の空気質が悪化している状態である。
【００２７】
レンジフード３０は、室内９０の空気を換気する装置である。レンジフード３０は、室内９０のキッチン領域９１に配置されている。レンジフード３０は、ガスコンロ２０の上方に配置されている。レンジフード３０は、ファン３１と、操作部３２と、通信部３３と、制御部３５を備えている。制御部３５は、レンジフード３０の動作を制御する。
【００２８】
ファン３１は、モーターの回転によって回転し、室内９０の空気を外部に送る。ファン３１の回転速度が変わるとレンジフード３０の風量が変わる。
【００２９】
操作部３２は、ユーザーＵがレンジフード３０のＯＮとＯＦＦを切り換えることができるように構成されている。また、操作部３２は、レンジフード３０の風量を「弱」、「中」、「強」に切り換えることができるように構成されている。ユーザーＵが操作部３２を操作することによってレンジフード３０の風量の切り換えをすることができる。
【００３０】
レンジフード３０は、通信部３３を介して無線通信可能に構成されている。レンジフード３０の通信部３３は、ガスコンロ２０の通信部２３と無線通信する。レンジフード３０は、通信部３３、２３を介してガスコンロ２０からガスコンロ２０の動作状態に関する情報を受信する。また、レンジフード３０の通信部３３は、センサ４０の通信部４３と無線通信する。レンジフード３０は、通信部３３、４３を介してセンサ４０から室内９０の空気質に関する情報を受信する。
【００３１】
レンジフード３０の通信部３３とガスコンロ２０の通信部２３は、赤外線通信方式（第１通信方式の一例）によって無線通信する。レンジフード３０の通信部３３とセンサ４０の通信部４３は、Ｂｌｕｅｔｏｏｔｈ（登録商標）の通信方式（第２通信方式の一例）によって無線通信する。本実施例の換気システム１では、レンジフード３０とガスコンロ２０の間の赤外線通信方式が、レンジフード３０とセンサ４０の間のＢｌｕｅｔｏｏｔｈ通信方式よりも、優先度が高い通信方式としている。赤外線通信方式がプライマリーの通信方式であり、Ｂｌｕｅｔｏｏｔｈ通信方式がセカンダリーの通信方式である。
【００３２】
また、本実施例の換気システム１では、ガスコンロ２０がセンサ４０よりも優先度が高い装置としている。ガスコンロ２０がプライマリーの室内装置であり、センサ４０がセカンダリーの室内装置である。
【００３３】
次に、レンジフード３０の風量について説明する。上記のレンジフード３０では、ユーザーＵがガスコンロ２０を使用する場合に、ガスコンロ２０の動作状態に適した風量がある。そこで、ガスコンロ２０の動作状態に応じたレンジフード３０の風量が予め設定されている。具体的には、ガスコンロ２０の「消火」、「弱」、「中」、「強」の各火力に応じて、レンジフード３０の風量「０（ＯＦＦ）」、「弱」、「中」、「強」が設定されている。
【００３４】
また、上記のレンジフード３０では、センサ４０が検知する室内９０の空気質に適した風量がある。そこで、センサ４０が検知する室内９０の空気質に応じたレンジフード３０の風量が予め設定されている。具体的には、室内９０の「正常」、「やや悪い」、「悪い」、「とても悪い」の各空気質に対応して、レンジフード３０の風量「０（ＯＦＦ）」、「弱」、「中」、「強」が設定されている。また、室内９０の「不安全」の空気質に対応して、レンジフード３０の風量「強」が設定されている。
【００３５】
（第１実施例の第１の動作）
次に、換気システム１の動作について説明する。まず、第１実施例の第１の動作について説明する。図２に示すように、第１実施例の初期状態では、ガスコンロ２０が点火しておらず、火力が「消火」であるとする。また、センサ４０が検知した室内９０の空気質が「正常」であるとする。また、レンジフード３０の風量が「０（ＯＦＦ）」であるとする。
【００３６】
この初期状態から、ガスコンロ２０のユーザーＵが操作部２２を操作することによってガスコンロ２０を点火したとする。また、ユーザーＵが操作部２２を操作することによってバーナー２１の火力を「弱」にしたとする。そうすると、ガスコンロ２０が火力「弱」で点火する。また、ガスコンロ２０は、火力「弱」の情報をレンジフード３０へ送信する（Ｓ１１）。レンジフード３０は火力「弱」の情報を受信する。
【００３７】
レンジフード３０は、ガスコンロ２０から火力「弱」の情報を受信すると、ＯＦＦからＯＮに切り換わり、換気運転を開始する。レンジフード３０は換気運転によって室内９０の空気を換気する。このときレンジフード３０は、ガスコンロ２０の火力「弱」に応じた風量「弱」で動作する。レンジフード３０の制御部３５が、ガスコンロ２０の火力「弱」の情報に基づいて、レンジフード３０の風量を「弱」に調節する。
【００３８】
また、レンジフード３０は、ガスコンロ２０の火力「弱」の情報に基づいて風量「弱」で動作すると、ガスコンロ２０から受信した情報に基づいて動作していることを特定する情報（動作要因特定情報）をセンサ４０へ送信する（Ｓ１２）。図２では、動作要因特定情報を「ガスコンロ」として示している。センサ４０は、動作要因特定情報（ガスコンロ）を受信する。センサ４０は、動作要因特定情報（ガスコンロ）を受信すると、室内９０の空気質に関する情報をレンジフード３０へ送信することができなくなる。センサ４０からレンジフード３０への室内９０の空気質に関する情報の送信が禁止される（Ｓ１３）。
【００３９】
その後、ガスコンロ２０が点火してから時間が経過したときに、室内９０の空気質が「正常」から「とても悪い」に変化したとする。例えば、ガスコンロ２０からの煙によって、室内９０の空気質が「とても悪い」に変化したとする。室内９０の空気質は、センサ４０によって継続的に検知されている。センサ４０は、室内９０の空気質が「とても悪い」に変化したことを検知する。
【００４０】
センサ４０は、室内９０の空気質が「正常」から「とても悪い」に変化すると、動作要因特定情報（ガスコンロ）を受信していない場合は検知した空気質「とても悪い」の情報をレンジフード３０へ送信することができるが、動作要因特定情報（ガスコンロ）を受信している場合は、検知した空気質「とても悪い」の情報をレンジフード３０へ送信することができない（Ｓ１３）。センサ４０が検知した空気質「とても悪い」の情報をレンジフード３０へ送信することが制限される。レンジフード３０は、センサ４０から空気質「とても悪い」の情報を受信しないので、ガスコンロ２０から受信した火力「弱」の情報に基づいて風量「弱」で動作し続ける。
【００４１】
（第１実施例の第２の動作）
次に第１実施例の第２の動作について説明する。図３に示すように、第１実施例の第２の動作の初期状態は、第１実施例の第１の動作初期状態と同じであるとする。すなわち、ガスコンロ２０が点火しておらず、火力が「消火」であるとする。また、センサ４０が検知した室内９０の空気質が「正常」であるとする。また、レンジフード３０の風量が「０（ＯＦＦ）」であるとする。
【００４２】
この初期状態から、室内９０の空気質が「正常」から「やや悪い」に変化したとする。例えば、ガスコンロ２０から発生する煙によって、室内９０の空気質が「やや悪い」に変化したとする。室内９０の空気質は、センサ４０によって継続的に検知されている。センサ４０は、室内９０の空気質が「やや悪い」に変化したことを検知する。
【００４３】
センサ４０は、室内９０の空気質が「正常」から「やや悪い」に変化すると、検知した空気質「やや悪い」の情報をレンジフード３０へ送信する（Ｓ４１）。レンジフード３０は空気質「やや悪い」の情報を受信する。
【００４４】
レンジフード３０は、センサ４０から空気質「やや悪い」の情報を受信すると、ＯＦＦからＯＮに切り換わり、換気運転を開始する。レンジフード３０は換気運転によって室内９０の空気を換気する。このときレンジフード３０は、室内９０の空気質「やや悪い」に応じた風量「弱」で動作する。レンジフード３０の制御部３５が、室内９０の空気質「やや悪い」の情報に基づいて、レンジフード３０の風量を「弱」に調節する。
【００４５】
その後、室内９０の空気質が「やや悪い」に変化してから時間が経過したときに、ガスコンロ２０のユーザーＵが操作部２２を操作することによってガスコンロ２０を点火したとする。また、ユーザーＵが操作部２２を操作することによってバーナー２１の火力を「中」にしたとする。そうすると、ガスコンロ２０が火力「中」で点火する。また、ガスコンロ２０は、火力「中」の情報をレンジフード３０へ送信する（Ｓ４２）。レンジフード３０は火力「中」の情報を受信する。
【００４６】
レンジフード３０は、ガスコンロ２０から火力「中」の情報を受信すると、その火力「中」に応じた風量「中」で動作する。レンジフード３０の制御部３５が、ガスコンロ２０の火力「中」の情報に基づいて、レンジフード３０の風量を「中」に調節する。レンジフード３０の風量が「弱」から「中」に切り換わる。このように、センサ４０からレンジフード３０へ送信される室内９０の空気質に関する情報よりも、ガスコンロ２０からレンジフード３０へ送信される火力の情報が優先される。
【００４７】
また、レンジフード３０は、ガスコンロ２０の火力「中」の情報に基づいて風量「中」で動作すると、ガスコンロ２０から受信した情報に基づいて動作していることを特定する情報（動作要因特定情報）をセンサ４０へ送信する（Ｓ１２）。センサ４０は、動作要因特定情報（ガスコンロ）を受信する。センサ４０は、動作要因特定情報（ガスコンロ）を受信すると、室内９０の空気質に関する情報をレンジフード３０へ送信することができなくなる。センサ４０からレンジフード３０への室内９０の空気質に関する情報の送信が禁止される（Ｓ１３）。
【００４８】
以上、第１実施例の動作について説明した。上記の説明から明らかなように、上記の換気システム１は、室内９０の空気を換気するレンジフード３０と、室内９０に配置されているガスコンロ２０とセンサ４０と、を備えている。レンジフード３０は、ガスコンロ２０が送信する火力の情報（第１信号の一例）およびセンサ４０が送信する室内９０の空気質の情報（第２信号の一例）に基づいて動作可能である。レンジフード３０は、ガスコンロ２０が送信する火力の情報を受信した場合は、その情報に基づいて動作する。また、レンジフード３０は、ガスコンロ２０が送信する火力の情報を受信していない場合は、センサ４０が送信する室内９０の空気質の情報を受信した場合にその情報に基づいて動作可能である。
【００４９】
このような構成によれば、レンジフード３０がガスコンロ２０から火力の情報を受信した場合はその火力の情報に基づいて動作するので、レンジフード３０の風量が頻繁に変わることがない。例えば上記の第１実施例では、レンジフード３０がガスコンロ２０から受信した火力の情報に基づいて動作している場合は、センサ４０からレンジフード３０への室内９０の空気質に関する情報の送信が禁止される（Ｓ１３）。すなわち、レンジフード３０は、ガスコンロ２０から受信した火力の情報に基づいて動作すると、センサ４０が検知した室内９０の空気質に関する情報に基づいて動作することができない。一方、レンジフード３０がガスコンロ２０から火力の情報を受信していない場合は、センサ４０から室内９０の空気質の情報を受信した場合にその空気質の情報に基づいて動作可能である。その後にレンジフード３０がガスコンロ２０から火力の情報を受信した場合はその火力の情報に基づいて動作する。このように、ガスコンロ２０から受信した火力の情報に基づく動作が優先されるので、レンジフード３０の風量が頻繁に変わることを防止できる。
【００５０】
また、上記の換気システム１では、レンジフード３０がガスコンロ２０が送信する火力の情報に基づいて動作している場合は、センサ４０からレンジフード３０への室内９０の空気質に関する情報の送信が禁止される（Ｓ１３）。すなわち、レンジフード３０とセンサ４０の間の通信が制限される。
【００５１】
このような構成によれば、室内９０の空気質に関する情報がセンサ４０からレンジフード３０へ送信されないので、レンジフード３０が誤って空気質に関する情報に基づいて動作することを防ぐことができる。
【００５２】
また、上記の換気システム１では、レンジフード３０が、ガスコンロ２０と赤外線通信方式によって通信し、センサ４０とＢｌｕｅｔｏｏｔｈの通信方式によって通信する。
【００５３】
このような構成によれば、通信方式を区別することによって、レンジフード３０が受信する火力の情報と室内９０の空気質の情報を明確に区別することができる。
【００５４】
また、上記の換気システム１では、ガスコンロ２０の優先度が高く、センサ４０の優先度が低い。また、ガスコンロ２０がレンジフード３０の下方に配置されている。このような構成によれば、ガスコンロ２０の周辺を優先して換気することができる。
【００５５】
以上、一実施例について説明したが、具体的な態様は上記実施例に限定されるものではない。以下の説明において、上記の説明における構成と同様の構成については同一の符号を付して説明を省略する。
【００５６】
（第２実施例）
上記の第１実施例では、レンジフード３０がガスコンロ２０が送信した火力の情報に基づいて動作している場合に、センサ４０が室内９０の空気質の情報をレンジフード３０へ送信することが禁止される構成であったが（上記のＳ１３参照）、この構成に限定されるものではない。第２実施例では、図４に示すように、レンジフード３０がガスコンロ２０が送信した火力の情報に基づいて動作している場合に、レンジフード３０がセンサ４０から室内９０の空気質の情報を受信することが禁止される構成であってもよい（Ｓ２１）。このような構成によっても、上記の第１実施例と同様にレンジフード３０とセンサ４０の間の通信が制限される。レンジフード３０は、センサ４０から空気質「とても悪い」の情報を受信しないので、ガスコンロ２０が送信した火力「弱」の情報に基づいて風量「弱」で動作し続ける。なお、この場合は、レンジフード３０は動作要因特定情報をセンサ４０へ送信しない（図２及び図３のＳ１２参照）。
【００５７】
（第３実施例）
上記の実施例では、レンジフード３０がガスコンロ２０が送信した火力の情報に基づいて動作している場合に、レンジフード３０とセンサ４０の間の通信が制限される構成であったが、第３実施例では、特定の場合には、レンジフード３０とセンサ４０の間の通信の制限が解除される構成であってもよい。
【００５８】
図５に示すように、第３実施例では、室内９０の空気質が「とても悪い」に変化してから時間が経過したときに、室内９０の空気質が「不安全」に変化したとする。例えば、ガスコンロ２０から燃焼排ガスが発生し、室内９０の空気質が「不安全」に変化したとする。室内９０の空気質が「不安全」である状態は、室内９０に居るユーザーＵの体調が悪くなる程度に室内９０の空気質が悪化している状態である。室内９０の空気質は、センサ４０によって継続的に検知されている。センサ４０は、室内９０の空気質が「不安全」に変化したことを検知する。
【００５９】
センサ４０は、室内９０の空気質が「とても悪い」から「不安全」に変化すると、検知した空気質「不安全」の情報（不安全信号の一例）をレンジフード３０へ送信する（Ｓ３１）。レンジフード３０は空気質「不安全」の情報を受信する。
【００６０】
レンジフード３０は、センサ４０から空気質「不安全」の情報を受信すると、その空気質「不安全」に応じた風量「強」で動作する。レンジフード３０の制御部３５が、室内９０の空気質「不安全」の情報に基づいて、レンジフード３０の風量を「強」に調節する。レンジフード３０の風量が「弱」から「強」に切り換わる。室内９０の空気質が「不安全」である場合は、レンジフード３０とセンサ４０の間の通信の制限が解除される。
【００６１】
上記のように第３実施例に係る換気システム１では、センサ４０が検知した室内９０の空気質が所定の安全基準に照らして「不安全」である場合には、そのことを特定する「不安全」の情報をセンサ４０がレンジフード３０へ送信する。レンジフード３０は、センサ４０が送信した「不安全」の情報を受信した場合は、ガスコンロ２０が送信した火力の情報を受信している場合であっても、「不安全」の情報に基づいて動作する。
【００６２】
このような構成によれば、室内９０の空気質が「不安全」である場合には、センサ４０が送信する「不安全」の情報を優先し、その情報に基づいてレンジフード３０が動作する。これによって、室内９０の空気質を安全な状態に維持ことができる。
【００６３】
（第４実施例）
上記の実施例では、ガスコンロ２０が送信する火力の情報をレンジフード３０が直接的に受信する構成であったが、この構成に限定されるものではない。第４実施例では、ガスコンロ２０が送信する火力の情報をレンジフード３０が間接的に受信する構成であってもよい。第４実施例では、ガスコンロ２０とセンサ４０が通信可能に構成されている。ガスコンロ２０の通信部２３とセンサ４０の通信部４３が、例えば赤外線通信方式またはＢｌｕｅｔｏｏｔｈの通信方式によって無線通信する。
【００６４】
図６に示すように、第４実施例の初期状態は、第１実施例の初期状態と同じであるとする。この初期状態から、ガスコンロ２０のユーザーＵが操作部２２を操作することによってガスコンロ２０を点火したとする。また、ユーザーＵが操作部２２を操作することによってバーナー２１の火力を「弱」にしたとする。そうすると、ガスコンロ２０が火力「弱」で点火する。また、ガスコンロ２０は、火力「弱」の情報をセンサ４０へ送信する（Ｓ１１１）。センサ４０が火力「弱」の情報を受信する。センサ４０は、火力「弱」の情報を受信すると、その情報をレンジフード３０へ送信する（Ｓ１１２）。レンジフード３０が火力「弱」の情報を受信する。
【００６５】
レンジフード３０は、ガスコンロ２０から火力「弱」の情報を受信すると、ＯＦＦからＯＮに切り換わり、換気運転を開始する。レンジフード３０は換気運転によって室内９０の空気を換気する。このときレンジフード３０は、ガスコンロ２０の火力「弱」に応じた風量「弱」で動作する。レンジフード３０の制御部３５が、ガスコンロ２０の火力「弱」の情報に基づいて、レンジフード３０の風量を「弱」に調節する。
【００６６】
その後、ガスコンロ２０が点火してから時間が経過したときに、室内９０の空気質が「正常」から「とても悪い」に変化したとする。例えば、ガスコンロ２０からの煙によって、室内９０の空気質が「とても悪い」に変化したとする。室内９０の空気質は、センサ４０によって継続的に検知されている。センサ４０は、室内９０の空気質が「とても悪い」に変化したことを検知する。
【００６７】
センサ４０は、室内９０の空気質が「正常」から「とても悪い」に変化すると、検知した空気質「とても悪い」の情報とガスコンロ２０の火力「弱」の情報を比較して、より多い換気風量が必要とされる空気質「とても悪い」の情報をレンジフード３０へ送信する（Ｓ１１３）。レンジフード３０は空気質「とても悪い」の情報を受信する。
【００６８】
レンジフード３０は、センサ４０から空気質「とても悪い」の情報を受信すると、その空気質「とても悪い」に応じた風量「強」で動作する。レンジフード３０の制御部３５が、室内９０の空気質「とても悪い」の情報に基づいて、レンジフード３０の風量を「強」に調節する。レンジフード３０の風量が「弱」から「強」に切り換わる。
【００６９】
このように、レンジフード３０は、ガスコンロ２０が送信する火力の情報を、センサ４０を中継して間接的に受信する。一方、センサ４０が送信する情報については、レンジフード３０は、ガスコンロ２０を中継せずにセンサ４０から直接的に受信する。したがって、レンジフード３０は、センサ４０が送信する室内９０の空気質に関する情報を、ガスコンロ２０を中継せずにセンサ４０から直接的に受信することができる。
【００７０】
（第５実施例）
上記の実施例では、ガスコンロ２０とセンサ４０が通信可能に構成されていたが、例えば電波障害等によってガスコンロ２０とセンサ４０が通信不能になることがある。通常状態ではガスコンロ２０とセンサ４０が通信可能であり、非通常状態ではガスコンロ２０とセンサ４０が通信不能になる。すなわち、非通常状態ではガスコンロ２０とセンサ４０の間の通信が制限される。
【００７１】
第５実施例では、通常状態（ガスコンロ２０とセンサ４０が通信可能である状態）では、図６に示すように、ガスコンロ２０が火力「弱」の情報をセンサ４０へ送信する（Ｓ１１１）。また、センサ４０が火力「弱」の情報を受信すると、その情報をレンジフード３０へ送信する（Ｓ１１２）。レンジフード３０は、ガスコンロ２０が送信する火力の情報をセンサ４０を中継して間接的に受信する。
【００７２】
一方、非通常状態（ガスコンロ２０とセンサ４０が通信不能である状態）では、図２に示すように、ガスコンロ２０が火力「弱」の情報をレンジフード３０へ送信する（Ｓ１１）。レンジフード３０は、ガスコンロ２０が送信する火力の情報をセンサ４０を中継せずにガスコンロ２０から直接的に受信する。通常状態であるか非通常状態であるか否かは、ガスコンロ２０の制御部（図示省略）が判断することができる。
【００７３】
なお、センサ４０が送信する情報については、レンジフード３０は、通常状態であっても非通常状態であっても、ガスコンロ２０を中継せずにセンサ４０から直接的に受信する。したがって、レンジフード３０は、センサ４０が送信する室内９０の空気質に関する情報を、ガスコンロ２０を中継せずにセンサ４０から直接的に受信することができる（図３のＳ４１、図６のＳ１１３参照）。
【００７４】
（第６実施例）
上記の実施例では、センサ４０が送信する室内９０の空気質の情報をレンジフード３０が直接的に受信する構成であったが、この構成に限定されるものではない。第６実施例では、センサ４０が送信する室内９０の空気質の情報をレンジフード３０が間接的に受信する構成であってもよい。第６実施例では、ガスコンロ２０とセンサ４０が通信可能に構成されている。ガスコンロ２０の通信部２３とセンサ４０の通信部４３が、例えば赤外線通信方式またはＢｌｕｅｔｏｏｔｈの通信方式によって無線通信する。
【００７５】
図７に示すように、第６実施例の初期状態は、第１実施例の初期状態と同じであるとする。この初期状態から、室内９０の空気質が「正常」から「やや悪い」に変化したとする。例えば、ガスコンロ２０から発生する煙によって、室内９０の空気質が「やや悪い」に変化したとする。室内９０の空気質は、センサ４０によって継続的に検知されている。センサ４０は、室内９０の空気質が「やや悪い」に変化したことを検知する。
【００７６】
センサ４０は、室内９０の空気質が「正常」から「やや悪い」に変化すると、検知した空気質「やや悪い」の情報をガスコンロ２０へ送信する（Ｓ４１１）。ガスコンロ２０が空気質「やや悪い」の情報を受信する。ガスコンロ２０は、空気質「やや悪い」の情報を受信すると、その情報をレンジフード３０へ送信する（Ｓ４１２）。レンジフード３０が空気質「やや悪い」の情報を受信する。
【００７７】
レンジフード３０は、ガスコンロ２０から空気質「やや悪い」の情報を受信すると、ＯＦＦからＯＮに切り換わり、換気運転を開始する。レンジフード３０は換気運転によって室内９０の空気を換気する。このときレンジフード３０は、室内９０の空気質「やや悪い」に応じた風量「弱」で動作する。レンジフード３０の制御部３５が、室内９０の空気質「やや悪い」の情報に基づいて、レンジフード３０の風量を「弱」に調節する。
【００７８】
その後、室内９０の空気質が「やや悪い」に変化してから時間が経過したときに、ガスコンロ２０のユーザーＵが操作部２２を操作することによってガスコンロ２０を点火したとする。また、ユーザーＵが操作部２２を操作することによってバーナー２１の火力を「中」にしたとする。そうすると、ガスコンロ２０が火力「中」で点火する。また、ガスコンロ２０は、空気質「やや悪い」の情報と火力「中」の情報を比較して、より多い換気風量が必要とされる火力「中」の情報をレンジフード３０へ送信する（Ｓ４１３）。レンジフード３０は火力「中」の情報を受信する。
【００７９】
レンジフード３０は、ガスコンロ２０から火力「中」の情報を受信すると、その火力「中」に応じた風量「中」で動作する。レンジフード３０の制御部３５が、ガスコンロ２０の火力「中」の情報に基づいて、レンジフード３０の風量を「中」に調節する。レンジフード３０の風量が「弱」から「中」に切り換わる。
【００８０】
（第７実施例）
上記の実施例では、ガスコンロ２０とセンサ４０が通信可能に構成されていたが、例えば電波障害等によってガスコンロ２０とセンサ４０が通信不能になることがある。通常状態ではガスコンロ２０とセンサ４０が通信可能であり、非通常状態ではガスコンロ２０とセンサ４０が通信不能になる。すなわち、非通常状態ではガスコンロ２０とセンサ４０の間の通信が制限される。
【００８１】
第７実施例では、通常状態（ガスコンロ２０とセンサ４０が通信可能である状態）では、図７に示すように、センサ４０が室内９０の空気質の情報をガスコンロ２０へ送信する（Ｓ４１１）。また、ガスコンロ２０が室内９０の空気質の情報を受信すると、その情報をレンジフード３０へ送信する（Ｓ４１２）。レンジフード３０は、センサ４０が送信する室内９０の空気質の情報をガスコンロ２０を中継して間接的に受信する。
【００８２】
一方、非通常状態（ガスコンロ２０とセンサ４０が通信不能である状態）では、図３に示すように、センサ４０が室内９０の空気質の情報をレンジフード３０へ送信する（Ｓ４１）。レンジフード３０は、センサ４０が送信する室内９０の空気質の情報をガスコンロ２０を中継せずにセンサ４０から直接的に受信する。通常状態であるか非通常状態であるか否かは、センサ４０の制御部（図示省略）が判断することができる。
【００８３】
なお、ガスコンロ２０が送信する情報については、レンジフード３０は、通常状態であっても非通常状態であっても、センサ４０を中継せずにガスコンロ２０から直接的に受信する。したがって、レンジフード３０は、ガスコンロ２０が送信する火力の情報を、センサ４０を中継せずにガスコンロ２０から直接的に受信することができる（図３のＳ４２、図７のＳ４１３参照）。
【００８４】
以上、第４実施例から第７実施例の動作について説明した。上記の説明から明らかなように、上記の換気システム１では、ガスコンロ２０とセンサ４０が通信可能である。また、レンジフード３０は、通常状態では火力の情報をガスコンロ２０から受信可能である一方で室内９０の空気質の情報をガスコンロ２０を中継して受信可能である。または、レンジフード３０は、通常状態では室内９０の空気質の情報をセンサ４０から受信可能である一方で火力の情報をセンサ４０を中継して受信可能である。レンジフード３０は、通常状態では、火力の情報と空気質の情報の受信の順番にかかわらず情報を中継する装置から受信した情報に基づいて動作可能である。レンジフード３０は、ガスコンロ２０とセンサ４０の間の通信が制限された非通常状態では、火力の情報をセンサ４０を中継せずにガスコンロ２０から受信可能であり、室内９０の空気質の情報をガスコンロ２０を中継せずにセンサ４０から受信可能である。レンジフード３０は、非通常状態では、ガスコンロ２０が送信する火力の情報を受信した場合は、その火力の情報に基づいて動作する。また、レンジフード３０は、非通常状態では、ガスコンロ２０が送信する火力の情報を受信していない場合は、センサ４０が送信する空気質の情報を受信した場合にその空気質の情報に基づいて動作する。
【００８５】
このような構成によれば、通常時にはレンジフード３０が情報を受信する装置をガスコンロ２０またはセンサ４０に統一することによって、レンジフード３０が情報を受信するチャンネルを一本化することができる。また、例えば電波障害等によってガスコンロ２０とセンサ４０が通信不能になり、非通常時になったとしても、ガスコンロ２０から受信した火力の情報に基づいて動作すると、センサ４０が検知した室内９０の空気質に関する情報に基づいて動作することができない。一方、レンジフード３０がガスコンロ２０から火力の情報を受信していない場合は、センサ４０から室内９０の空気質の情報を受信した場合にその空気質の情報に基づいて動作可能である。その後にレンジフード３０がガスコンロ２０から火力の情報を受信した場合はその火力の情報に基づいて動作する。このように、ガスコンロ２０から受信した火力の情報に基づく動作が優先されるので、レンジフード３０の風量が頻繁に変わることがないように動作させることができる。
【００８６】
（他の実施例）
上記の実施例では、レンジフード３０がガスコンロ２０から受信した火力の情報に基づいて動作している場合に、非通常状態ではレンジフード３０とセンサ４０の間の通信が制限される構成であったが、この構成に限定されるものではなく、レンジフード３０とセンサ４０の間の通信が制限されない構成であってもよい。しかしながら、レンジフード３０がガスコンロ２０が送信する火力の情報に基づいて動作している場合には、非通常状態ではセンサ４０が送信する室内９０の空気質の情報を受信したとしても、その情報に基づいて動作しない（ガスコンロ２０から受信した情報に基づいて動作し続ける）。レンジフード３０がセンサ４０が送信する室内９０の空気質の情報を受信した場合は、ガスコンロ２０が送信する火力の情報を受信していない場合に限って、センサ４０から受信した情報に基づいて動作する。
【００８７】
また、上記の実施例では、ガスコンロ２０を第１室内装置の一例として説明したが、これに限定されるものではない。また、センサ４０を第２室内装置の一例として説明したが、これに限定されるものではない。第１室内装置と第２室内装置の組み合わせは、室内９０に配置されている任意の装置の組み合わせである。
【００８８】
また、上記の実施例では、レンジフード３０の通信部３３とガスコンロ２０の通信部２３が赤外線通信方式によって無線通信し、レンジフード３０の通信部３３とセンサ４０の通信部４３がＢｌｕｅｔｏｏｔｈの通信方式によって無線通信する構成であったが、通信方式は特に限定されるものではない。
【００８９】
また、他の実施例では、レンジフード３０の制御部３５が、室内装置（ガスコンロ２０とセンサ４０）の優先度および通信方式の優先度を認識して、優先度に従って判断できる構成であってもよい。
【００９０】
また、ユーザーＵが一時的に優先したい室内装置の設定を変更することで、その室内装置が一時的に優先度の高い信号（第３信号の一例）を送信し、レンジフード３０が一時的に優先度の高い信号に基づいて動作してもよい。
【００９１】
例えば、ユーザーＵが、一時的に、センサ４０が検知した室内９０の空気質に応じた風量でレンジフード３０を動作させたいとする。この場合、ユーザーＵがセンサ４０にそのことを入力する。すなわち、ユーザーＵが、ガスコンロ２０よりセンサ４０を一時的に優先することをセンサ４０に入力する。例えばリモコン等によってセンサ４０に優先情報を入力する。この場合、センサ４０は、優先情報（優先度の高い信号）をレンジフード３０に送信する。レンジフード３０が優先情報を受信する。レンジフード３０は、センサ４０が送信する優先情報を受信した場合は、ガスコンロ２０が送信する火力の情報を受信している場合であっても、優先情報に基づいて、センサ４０が検知した室内９０の空気質に応じた風量で動作する。このような動作は、ガスコンロ２０とセンサ４０が通信できない場合に行われる。ガスコンロ２０とセンサ４０が通信できない場合は、例えば、ガスコンロ２０とセンサ４０がそもそも通信不能である場合、または、ガスコンロ２０とセンサ４０が通信可能であるものの、上記の非通常状態のようにガスコンロ２０とセンサ４０の間の通信が制限されている場合である。
【００９２】
上記のように、ガスコンロ２０とセンサ４０が通信できない場合において、センサ４０は、所定の条件を満たした場合（例えば、ユーザーＵがリモコン等によってセンサ４０に優先情報を入力した場合）に、優先情報を送信してもよい。また、レンジフード３０は、センサ４０が送信する優先情報を受信した場合は、ガスコンロ２０が送信する火力の情報を受信している場合であっても、優先情報に基づいて動作してもよい。
【００９３】
このような構成によれば、ユーザーＵの意図を反映した換気運転をレンジフード３０に実行させることができる。
【００９４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００９５】
１    ：換気システム
９    ：室
２０  ：ガスコンロ
２１  ：バーナー
２２  ：操作部
２３  ：通信部
３０  ：レンジフード
３１  ：ファン
３２  ：操作部
３３  ：通信部
３５  ：制御部
４０  ：センサ
４３  ：通信部
９０  ：室内
９１  ：キッチン領域
９２  ：ダイニング領域
【図１】
2018071916.tif 000003
【図２】
2018071916.tif 000004
【図３】
2018071916.tif 000005
【図４】
2018071916.tif 000006
【図５】
2018071916.tif 000007
【図６】
2018071916.tif 000008
【図７】
2018071916.tif 000009